(57)【特許請求の範囲】
【請求項１】
本体に組み込まれ、自在に回転する第１の回転手段と、
前記本体に組み込まれ、回転駆動する回転駆動源と、
前記本体に組み込まれ、前記回転駆動源により回転する第２の回転手段と、
前記第１の回転手段に巻回され、一端が前記本体に係止され、他端が前記第２の回転手段に係止されている線とを備え、
前記回転駆動源を回転駆動して前記第２の回転手段を回転させることにより前記線に張力を付加し、回転している前記第１の回転手段と前記線との間に摩擦力を発生させることにより前記第１の回転手段に負荷を付与する
ことを特徴とする負荷装置。
【請求項２】
前記第１の回転手段が、回転力を規制する回転力規制機構を備えている請求項１に記載の負荷装置。
【請求項３】
前記回転力規制機構が、粘性抵抗を利用している請求項２に記載の負荷装置。
【請求項４】
前記第２の回転手段が、前記回転駆動源の回転駆動力を規制する回転駆動力規制機構を備えている請求項１に記載の負荷装置。
【請求項５】
前記回転駆動力規制機構が、粘性抵抗を利用している請求項４に記載の負荷装置。
【請求項６】
一端が前記本体に係止され、他端が前記第２の回転手段に係止されており、前記線に付加されている張力を解除する方向に前記第２の回転手段を付勢する付勢手段を備えている請求項１に記載の負荷装置。
【請求項７】
表示装置に接続される家庭用ゲーム機に接続され、釣りゲームをコントロールするためのロッドとリールを有する釣りゲームコントローラであって、
前記ロッドに組み込まれて前記リールに接続され、自在に回転する第１の回転手段と、
前記ロッドに組み込まれ、回転駆動する回転駆動源と、
前記ロッドに組み込まれ、前記回転駆動源により回転する第２の回転手段と、
前記第１の回転手段に巻回され、一端が前記ロッドに係止され、他端が前記第２の回転手段に係止されている線とを備え、
前記家庭用ゲーム機からの釣り上げ時の状況信号に基づいて、前記回転駆動源を回転駆動して前記第２の回転手段を回転させることにより前記線に張力を付加し、回転している前記第１の回転手段と前記線との間に摩擦力を発生させることにより前記第１の回転手段を介して前記リールに巻上げ負荷を付与する
ことを特徴とする釣りゲームコントローラ。
【請求項８】
前記第１の回転手段が、回転力を規制する回転力規制機構を備えている請求項７に記載の負荷装置。
【請求項９】
前記回転力規制機構が、粘性抵抗を利用している請求項８に記載の負荷装置。
【請求項１０】
前記第２の回転手段が、前記回転駆動源の回転駆動力を規制する回転駆動力規制機構を備えている請求項７に記載の負荷装置。
【請求項１１】
前記回転駆動力規制機構が、粘性抵抗を利用している請求項１０に記載の負荷装置。
【請求項１２】
一端が前記ロッドに係止され、他端が前記第２の回転手段に係止されており、前記線に付加されている張力を解除する方向に前記第２の回転手段を付勢する付勢手段を備えている請求項７に記載の負荷装置。
【発明の詳細な説明】
【０００１】
【発明の属する技術分野】
本発明は、回転部分に任意の負荷を与えることができる負荷装置に関し、例えば家庭用ゲーム機を用いた釣りゲームをコントロールするためのロッドとリールを有し、釣り上げの際にリールに巻上げ力を与えることができる釣りゲームコントローラに関するものである。
【０００２】
【従来の技術】
テレビジョンを用いて各種ゲームを楽しむ家庭用の所謂テレビゲーム機が普及している。このテレビゲーム機は、テレビジョンに接続されるゲーム機本体と、ゲーム機本体に接続されるゲームコントローラで概略構成されている。このような構成において、使用者は、ゲームソフトが記録された例えばＣＤ−ＲＯＭをゲーム機本体にセットし、テレビジョンに表示されるゲーム進行状況に従って、ゲームコントローラを操作するようになっている。
【０００３】
ところで、ゲームソフトとして例えば魚釣りをシミュレートしたソフトが提供されている。そして、実際の魚釣りを擬似的に体感させるため、ロッドとリールを模した釣りゲームコントローラが提供されている。従来の釣りゲームコントローラは、振動装置が内蔵されており、魚が掛かったときの手に伝わる振動を再現するようにしている。
【０００４】
【発明が解決しようとする課題】
上述した従来の釣りゲームコントローラでは、振動によって魚が掛かったときの臨場感を味わうことはできるが、その後の釣り上げの際にはリールの巻上げ力は一定で変化がないため、魚の引き込み等を擬似的に体感することができなかった。
【０００５】
一方、内蔵したモータを発電機として用いてリールの巻上げ力を変化させるようにした釣りゲームコントローラが提案されているが、モータのブラシが磨耗し易く、ノイズが発生したり耐久性に欠けるという欠点があった。さらに、増速機構等も必要になるため、無負荷時のリールの巻上げが重くなり、また釣りゲームコントローラ自体が大型化し、高コストになるという問題があった。
【０００６】
本発明は、以上の点に鑑み、回転部分に任意の負荷を与えることができる負荷装置及びそれを利用した耐久性が高く、小型で低コストの釣りゲームコントローラを提供することを目的としている。
【０００７】
【課題を解決するための手段】
上記目的は、本発明によれば、本体に組み込まれ、自在に回転する第１の回転手段と、前記本体に組み込まれ、回転駆動する回転駆動源と、前記本体に組み込まれ、前記回転駆動源により回転する第２の回転手段と、前記第１の回転手段に巻回され、一端が前記本体に係止され、他端が前記第２の回転手段に係止されている線とを備え、前記回転駆動源を回転駆動して前記第２の回転手段を回転させることにより前記線に張力を付加し、回転している前記第１の回転手段と前記線との間に摩擦力を発生させることにより前記第１の回転手段に負荷を付与することにより達成される。
【０００８】
また、上記目的は、本発明によれば、表示装置に接続される家庭用ゲーム機に接続され、釣りゲームをコントロールするためのロッドとリールを有する釣りゲームコントローラであって、前記ロッドに組み込まれて前記リールに接続され、自在に回転する第１の回転手段と、前記ロッドに組み込まれ、回転駆動する回転駆動源と、前記ロッドに組み込まれ、前記回転駆動源により回転する第２の回転手段と、前記第１の回転手段に巻回され、一端が前記ロッドに係止され、他端が前記第２の回転手段に係止されている線とを備え、前記家庭用ゲーム機からの釣り上げ時の状況信号に基づいて、前記回転駆動源を回転駆動して前記第２の回転手段を回転させることにより前記線に張力を付加し、回転している前記第１の回転手段と前記線との間に摩擦力を発生させることにより前記第１の回転手段を介して前記リールに巻上げ負荷を付与することにより達成される。
【０００９】
上記構成によれば、線を引っ張ったり緩めたりして張力を変化させることにより、線が巻き付けられている回転部分に摩擦力を生じさせて負荷を掛けるようにしている。このため、構成が簡単になり、耐久性が高く、小型で低コストの装置とすることができる。特に、釣りゲームコントローラに適用することにより、釣り上げ時の擬似体験をよりリアルに味わうことが可能となる。
【００１０】
【発明の実施の形態】
以下、本発明の好適な実施形態を添付図を参照しながら詳細に説明する。
なお、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１１】
図１（Ａ）及び（Ｂ）は、本発明の負荷装置の実施形態を示す側面図及び一部断面平面図である。
この負荷装置１００は、第１の回転手段１１０と、回転駆動源１２０に連接された第２の回転手段１３０とが、摩擦糸（線）１４０を介して連結され、シャーシ（本体）１５０に内蔵された構成となっている。
【００１２】
第１の回転手段１１０は、ハンドル１１１と一体化された駆動輪１１２にブレーキドラム１１３が同軸で取り付けられ、シャーシ１５０に回転自在に組み込まれている。駆動輪１１２及びブレーキドラム１１３は、例えばＰＯＭ（ポリアセタール）樹脂やＡＢＳ樹脂等のプラスチック、アルミニウム等の金属で作成されている。
【００１３】
駆動輪１１２とブレーキドラム１１３の対向端部には、相互にかみ合わせ可能な複数の同芯円筒溝１１２ａ、１１３ａが形成されている。そして、各同芯円筒溝１１２ａ、１１３ａの接触面には、シリコンオイル等の粘性を有する物質が塗布されている。同芯円筒溝１１２ａ、１１３ａは、粘性抵抗を利用して駆動輪１１２の回転力を規制する回転力規制機構として機能する。
【００１４】
第２の回転手段１３０は、ウォームホイール１３１に張力輪１３２が同軸で取り付けられ、第１の回転手段１１０の回転軸と平行になるように並設してシャーシ１５０に回転自在に組み込まれている。ウォームホイール１３１及び張力輪１３２は、例えばＰＯＭ（ポリアセタール）樹脂やＡＢＳ樹脂等のプラスチック、アルミニウム等の金属で作成されている。
【００１５】
ウォームホイール１３１と張力輪１３２の対向端部には、相互にかみ合わせ可能な複数の同芯円筒溝１３１ａ、１３２ａが形成されている。そして、各同芯円筒溝１３１ａ、１３２ａの接触面には、シリコンオイル等の粘性を有する物質が塗布されている。同芯円筒溝１３１ａ、１３２ａは、粘性抵抗を利用して回転駆動源１２０の回転駆動力を規制する回転駆動力規制機構として機能する。
【００１６】
回転駆動源１２０は、モータ１２１の回転軸１２２にウォームギア１２３が一体的に取り付けられ、ウォームホイール１３１とかみ合った状態でシャーシ１５０に固定されている。
摩擦糸１４０は、一端がシャーシ１５０に係止され、張力を与えずにブレーキドラム１１３に２、３回巻き付けられ、他端が張力輪１３２に係止されている。摩擦糸１４０は、伸縮性のないものであれば、例えば表面にテトロンが被覆されたケブラー繊維等の樹脂製糸や、ステンレスワイヤ等の金属線が使用可能である。
【００１７】
このような構成において、その動作例を説明する。
通常状態でハンドル１１１を回しているときは、駆動輪１１２とブレーキドラム１１３は一体的にスムーズに回転し、ブレーキドラム１１３と摩擦糸１４０との間では殆ど摩擦なくスリップ（空回り）する。
【００１８】
そして、ハンドル１１１に負荷を掛けたいときは、摩擦糸１４０を引っ張る方向、即ちウォームホイール１３１が図示矢印ａ方向に回転するようにモータ１２１を駆動させてウォームギア１２３を回転させる。これにより、摩擦糸１４０に張力が付加されるので、回転しているブレーキドラム１１３と摩擦糸１４０との間に摩擦力が発生し、駆動輪１１２に負荷が掛かってハンドル１１１の回転が重くなる。
【００１９】
さらに、モータ１２１を駆動させて摩擦糸１４０の張力を増加させると、ブレーキドラム１１３の回転は摩擦糸１４０により完全にロックされるので、駆動輪１１２の回転に対するスリップは同芯円筒溝１１２ａ、１１３ａ間で発生する。従って、この時点でのハンドル１１１の回転の重さは最大となる。
【００２０】
このように、同芯円筒溝１１２ａ、１１３ａが駆動輪１１２の回転力を規制するので、ハンドル１１１を無理に回転させることによるハンドル１１１、駆動輪１１２、ブレーキドラム１１３の破壊や、摩擦糸１４０の切断を防止することができる。同様に、同芯円筒溝１３１ａ、１３２ａがモータ１２１の回転駆動力を規制するので、モータ１２１の回転がロックされることによるモータ１２１の焼き付きや、モータ１２１の無理な回転によるウォームギア１２３、ウォームホイール１３１、張力輪１３２の破壊や、摩擦糸１４０の切断を防止することができる。
【００２１】
以上のように、モータ１２１を駆動させて摩擦糸１４０の張力を変化させることにより、ブレーキドラム１１３と摩擦糸１４０との間の摩擦力、即ちハンドル１１１の回転力を無断階で調整することができる。また、このハンドル１１１の回転力の最大値は、設計時に決める同芯円筒溝１１２ａ、１１３ａ間の粘性抵抗により決定される。
【００２２】
そして、ハンドル１１１の負荷を除きたいときは、単にモータ１２１の駆動を停止させるのみでよい。これにより、同芯円筒溝１１２ａ、１１３ａ、１３１ａ、１３２ａの粘性特性で、摩擦糸１４０の張力は自然に０となり、駆動輪１１２の負荷が除かれてハンドル１１１の回転が軽くなる。
【００２３】
尚、上述した実施形態では、摩擦糸１４０に掛かる負荷を軽減することを主目的に、駆動輪１１２とブレーキドラム１１３を別体とし、それらの対向端部に同芯円筒溝１１２ａ、１１３ａを形成するように構成したが、摩擦糸１４０を適宜に選択することによって発生する摩擦力を調整するようにすれば、上記同芯円筒溝１１２ａ、１１３ａは形成せずに、駆動輪１１２とブレーキドラム１１３を一体として構成してもよい。これにより、部品コストを低減させることができる。
【００２４】
また、上述した実施形態では、ハンドル１１１の負荷を除くときは、単にモータ１２１の駆動を停止させていたが、一端がシャーシ１５０に係止され、他端が張力輪１３２に係止され、摩擦糸１４０の引張を緩める張力輪１３２の回転方向に張力輪１３２を引っ張る引張ばね（付勢手段）を備えるようにしてもよい。これにより、ハンドル１１１の負荷を瞬時に、かつ確実に除くことができ、その後の動作に対し迅速に対応することができる。さらに、モータ１２１を先程とは逆駆動させるようにしても、同様の効果を得ることができる。
【００２５】
以上の実施形態によれば、発電機を使用していないので、連続的に負荷を掛けても、ノイズの発生を抑制し、耐久性に優れたものとすることができる。さらに、増速機構等も不要で構造が簡単であるため、小型で低コストなものとすることができる。
【００２６】
図２（Ａ）及び（Ｂ）は、図１の負荷装置１００を利用した本発明の釣りゲームコントローラの実施形態を示す平面図及び側面図である。
この釣りゲームコントローラ１０は、プラスチック等により成形されたロッド１１とリール１２を備えている。ここで、ロッド１１は、実際の釣り竿のロッドとは異なり、使用者が手で握って支える部分１１ａと、コントロールボタン１３等が配置され、負荷装置１００が内蔵された部分１１ｂで構成されている。また、リール１２も、実際の釣り竿のリールとは異なり、負荷装置１００に接続され、使用者が手で持って回転させる部分、即ち図１のハンドル１１１に対応している。尚、図示していないが、ロッド１１に従来の振動装置を内蔵するように構成してもよい。
【００２７】
このような構成によれば、図１の負荷装置１００で説明したように、魚が掛かっていないとき等は、リール１２をほぼ完全に無負荷で回転させることができるので、使い心地がよくなる。また、魚が掛かったときは、振動装置によるロッド１１の振動によって臨場感を味わうことができ、さらに、その後の釣り上げの際には、負荷装置１００によるリール１２の巻上げ力の変化によって魚の引き込み等を擬似的に体感することができる。
【００２８】
【発明の効果】
以上述べたように、本発明によれば、回転部分に任意の負荷を与えることができる負荷装置及びそれを利用した耐久性が高く、小型で低コストの釣りゲームコントローラを提供することができる。
【図面の簡単な説明】
【図１】本発明の負荷装置の実施形態を示す側面図及び一部断面平面図。
【図２】図１の負荷装置１００を利用した本発明の釣りゲームコントローラの実施形態を示す平面図及び側面図。
【符号の説明】
１０・・・釣りゲームコントローラ、１１・・・ロッド、１２・・・リール、１３・・・コントロールボタン、１００・・・負荷装置、１１０・・・第１の回転手段、１１１・・・ハンドル、１１２・・・駆動輪、１１３・・・ブレーキドラム、１１２ａ、１１３ａ・・・同芯円筒溝、１２０・・・回転駆動源、１２１・・・モータ、１２２・・・回転軸、１２３・・・ウォームギア、１３０・・・第２の回転手段、１３１・・・ウォームホイール、１３２・・・張力輪、１３１ａ、１３２ａ・・・同芯円筒溝、１４０・・・摩擦糸、１５０・・・シャーシ
【図１】
0003893794.tif 000002
【図２】
0003893794.tif 000003